(57)【要約】【課題】  引き出し操作などを要することなく備品などを出し入れし、また、使用しない際にはコンパクトに形成する。【解決手段】ベース２の中心位置に支柱３を着脱自在に立設する一方、支柱３に複数個の円筒箱状のボックス本体４１〜４６をそのソケット４７を介して順次嵌挿し、下段のボックス本体に上段のボックス本体を載置する。ここで、各ボックス本体は、その上段のボックス本体を収容可能な大きさに形成されるとともに、それらの各底面に設けられたソケット４７は同一半径上に位置している。【選択図】  図３
2006325865.tif 000002
【特許請求の範囲】
【請求項１】
ベースと、ベースの中心位置に着脱自在に立設された支柱と、支柱に摺動自在に嵌挿された複数個の円筒箱状のボックス本体と、から構成され、各ボックス本体は、その上段のボックス本体を収容可能な大きさに形成されるとともに、それらの各底面に同一半径上に位置して支柱の外径に対応する内径のソケットを有することを特徴とする収納ボックス。
【請求項２】
前記各ソケットには、支柱に固定するためのストッパが設けられていることを特徴とする請求項１記載の収納ボックス。
【請求項３】
前記ボックス本体は、上端縁がカーリングされて外方に折り返されるとともに、上端部に１個もしくは複数個のタブが回動自在に設けられていることを特徴とする請求項１記載の収納ボックス。
【請求項４】
前記支柱が互いに連結可能な複数本のジョイント支柱から形成されていることを特徴とする請求項１記載の収納ボックス。
【発明の詳細な説明】
【技術分野】
【０００１】
この発明は、備品などを収納可能な収納ボックスに関するものである。
【背景技術】
【０００２】
従来より、箱体やトレイを引き出し自在とした収納ボックスが提案されている（例えば、特許文献１，２参照）。
【特許文献１】特開平８−１０３３３９号公報
【特許文献２】実開平７−２０８７１号公報
【発明の開示】
【発明が解決しようとする課題】
【０００３】
しかしながら、前述した収納ボックスにおいては、各ボックスに衣類や備品などを収納する際、箱体やトレイを引き出す必要があり、作業が煩わしいという欠点があった。また、収納ボックスを使用しない場合、箱体やトレイの数だけ積み重ねて保管する必要があり、押し入れなどの収納空間を大きく占有するという欠点もあった。
【０００４】
本発明は、このような問題点に鑑みてなされたもので、特に引き出し操作などを要することなく備品などを出し入れすることができ、また、使用しない際にはコンパクトに形成することのできる、多目的に使用可能な収納ボックスを提供するものである。
【課題を解決するための手段】
【０００５】
本発明は、ベースと、ベースの中心位置に着脱自在に立設された支柱と、支柱に摺動自在に嵌挿された複数個の円筒箱状のボックス本体と、から構成され、各ボックス本体は、その上段のボックス本体を収容可能な大きさに形成されるとともに、それらの各底面に同一半径上に位置して支柱の外径に対応する内径のソケットを有することを特徴とするものである。
【０００６】
本発明によれば、ベースに立設された支柱に順次ボックス本体のソケットを嵌挿し、下段のボックス本体の上端縁に載置すれば、上段のボックス本体を下段のボックス本体に対してその中心からの回転半径に相当する距離だけオフセットした位置に支持させることができることから、下段のボックス本体の上方に一定の空間を確保することができ、この空間を通して下段のボックス本体に備品などを収納し、あるいは、取り出すことができる。このため、トレーなどを引き出して、収納空間を露出させるなどの操作が不要となる。
【０００７】
一方、使用しないときには、順次下段のボックス本体に上段のボックス本体を収納すれば、最下段のボックス本体の大きさの範囲内に各上段のボックス本体を収容することができ、コンパクトに形成することができる。したがって、大きな収納空間を必要とすることなく、保管することができる。
【０００８】
本発明において、前記各ソケットには、支柱に固定するためのストッパが設けられていると、支柱の任意の高さ位置に各ボックス本体を固定することができる。したがって、必ずしも、全てのボックス本体を順次積み重ねて支持させる必要はなく、収納する備品などの数量に合わせて任意の個数のボックス本体を展開できる利点がある。
【０００９】
本発明において、前記ボックス本体は、上端縁がカーリングされて外方に折り返されるとともに、上端部に１個もしくは複数個のタブが回動自在に設けられていると、上段のボックス本体を支持しつつタブを利用して支柱回りに滑らかに回転させることができるとともに、上段のボックス本体を回転させる際に干渉することなく格納することができ、好ましい。
【００１０】
本発明において、前記支柱が互いに連結可能な複数本のジョイント支柱から形成されていると、複数本のジョイント支柱を接続して支柱の高さを延長することができるとともに、格納時に複数本の短小なジョイント支柱に分解することができ、好ましい。
【発明の効果】
【００１１】
本発明によれば、特に引き出し操作などを要することなく備品などを出し入れすることができ、また、使用しない際にはコンパクトに形成することができる。
【発明を実施するための最良の形態】
【００１２】
以下、本発明の実施の形態を図面に基づいて説明する。
【００１３】
図１乃至図４には、本発明の収納ボックス１の一実施形態が示されている。
【００１４】
この収納ボックス１は、ベース２と、ベース２に立設された支柱３と、支柱３に摺動自在に嵌挿されたトレイボックス４と、から構成されている。
【００１５】
ベース２は、円板状のテーブル２１に複数個のキャスター２２を設けて形成され、テーブル２１の中心位置には雌ねじ２３が設けられている。
【００１６】
ここで、ベース２は、直径が３４０ｍｍであって、キャスター２２を含めた高さが５５ｍｍに設定されている。
【００１７】
支柱３は、複数本、実施例では３本のジョイント支柱３１からなり、各ジョイント支柱３１の下端に雄ねじ３２が設けられるとともに、上端に雌ねじ３３が設けられている。そして、一のジョイント支柱３１の雄ねじ３２をベース２のテーブル２１に設けた雌ねじ２３にねじ込むことにより、ジョイント支柱３１をベース２に対して立設することができ、一方、緩めることにより、ジョイント支柱３１をベース２から離脱させることができる。また、任意のジョイント支柱３１の雌ねじ３３に他のジョイント支柱３１の雄ねじ３２をねじ込んで連結することにより、順次ジョイント支柱３１を長さを延長することができる。
【００１８】
なお、最上端のジョイント支柱３１には、小物などを収納する多数の収納部３４１を有するヘッドキャップ３４が装着されるようになっている。
【００１９】
ここで、ジョイント支柱３１は、直径３０ｍｍ×長さ２５０ｍｍが１本、直径３０ｍｍ×長さ２００ｍｍが２本用意されている。
【００２０】
トレイボックス４は、複数個、実施例では６個の円筒箱状のボックス本体４１〜４６から構成され、第１段のボックス本体４１の内径および高さに対応して、第２段のボックス本体４２の外径および高さが設定されて、第１段のボックス本体４１の内部空間に第２段のボックス本体４２が収容できるようになっている。同様に、第２段のボックス本体４２の内径および高さに対応して第３段のボックス本体４３の外径および高さが設定され、第３段のボックス本体４３の内径および高さに対応して、第４段のボックス本体４４の外径および高さが設定されている。この場合、第４段のボックス本体４４、第５段のボックス本体４５および第６段のボックス本体４６は、同一の大きさに設定され、第４段乃至第６段のボックス本体４４〜４６の高さの和が、第３段のボックス本体４３の高さに対応して設定されている。また、これらのボックス本体４１〜４６の各底面には、それらの中心から同一半径の偏心した位置に、ジョイント支柱３１の外径に対応する内径のソケット４７がそれぞれ設けられている。
【００２１】
したがって、ベース２に立設されたジョイント支柱３１に第１段のボックス本体４１のソケット４７を嵌挿した後、ジョイント支柱３１に第２段のボックス本体４２のソケット４７を嵌挿するとともに、第１段のボックス本体４１の内部に第２段のボックス本体４２を収容し、次いで、ジョイント支柱３１に第３段のボックス本体４３のソケット４７を嵌挿するとともに、第２段のボックス本体４２の内部に第３段のボックス本体４３を収容し、さらに、ジョイント支柱３１に第４段乃至第６段のボックス本体４４〜４６の各ソケット４７を嵌挿するとともに、第３段のボックス本体４３の内部にそれらのボックス本体４４〜４６を収容した場合、第１段のボックス本体４１の内部に第２段のボックス本体４２以降の全てのボックス本体４３乃至４６を順次収容することができるようになっている（図５参照）。
【００２２】
また、各ボックス本体４１〜４６の上端縁は、カーリングされて折り返されており、上段のボックス本体の底面をなめらかに支持できるようになっている。
【００２３】
また、各ソケット４７には、詳細には図示しないが、異なる半径の円弧面を有するストッパ４７１が回動自在に設けられており、ストッパ４７１を回動させることにより、ジョイント支柱３１に対するソケット４７の摩擦抵抗を増大して各ボックス本体を落下することなく保持することができ、一方、ストップ位置からストッパ４７１を逆方向に回動させることにより、ジョイント支柱３１に対するソケット４７の摩擦抵抗を軽減して摺動させることができる。
【００２４】
また、第１段のボックス本体４１乃至第３段のボックス本体４３の上端部には、それぞれタブ４８が回動自在に設けられており、タブ４８を、各ボックス本体４１〜４３の円筒面に連続するように立ち上げることにより、タブ４８を利用してボックス本体４１〜４３を持ち上げたり、回転させることができ、また、各ボックス本体４１〜４３の円筒面に沿うように押し下げることにより、上段のボックス本体４２〜４４の回転に際して邪魔とならないように格納することができる。
【００２５】
ここで、第１段のボックス本体４１は外径２９０ｍｍ×高さ２５０ｍｍ、第２段のボックス本体４２は外径２６６ｍｍ×高さ２１０ｍｍ、第３段のボックス本体４３は外径２４２ｍｍ×高さ１７０ｍｍ、第４段乃至第６段のボックス本体４４〜４６はそれぞれ外径２１８ｍｍ×高さ４０ｍｍに設定されている他、各ソケット４７の高さは４０ｍｍに設定されている。
【００２６】
次に、このように構成された収納ボックス１の組立要領について説明する。
【００２７】
まず、ベース２のテーブル２１に設けた雌ねじ２３にジョイント支柱３１の雄ねじ３２をネジ結合し、以下、同様に、２本のジョイント支柱３１を順にネジ結合する。ベース２に３本のジョイント支柱３１からなる支柱３が立設されたならば、第１段のボックス本体４１のソケット４７を支柱３に嵌挿した後、支柱３に第２段のボックス本体４２のソケット４７を嵌挿し、その底面を第１段のボックス本体４１の外周縁に載置する。この際、支柱３に対する第１段のボックス本体４１のオフセットと、支柱３に対する第２段のボックス本体４２のオフセットとを直径方向に連続させて、支柱３に対する重量バランスが崩れないように第２段のボックス本体４２を配置する。
【００２８】
次いで、支柱３に第３段のボックス本体４３のソケット４７を嵌挿し、そのオフセットが第１段のボックス本体４１のオフセットと重なるように、底面を第２段のボックス本体４２の外周縁に載置し、さらに、支柱３に第４段のボックス本体４４のソケット４７を嵌挿し、そのオフセットが第２段のボックス本体４２のオフセットと重なるように、底面を第３段のボックス本体４３の外周縁に載置する。以下同様に、支柱３に第５段のボックス本体４５のソケット４７および第６段のボックス本体４６のソケット４７を順に嵌挿し、そのオフセットの向きを考慮して底面を第４段のボックス本体４４の外周縁および第５段のボックス本体４５の外周縁に順に載置する。この後、ヘッドキャップ３４を上端の支柱３１に装着することにより、収納ボックス１を形成することができる。
【００２９】
このように構成された収納ボックス１においては、隣接するボックス本体が互いにオフセットが直径方向に位置するように配置されて下段のボックス本体の上端縁に載置されているため、下段のボックス本体の上方にその上段のボックス本体の高さに相当する空間を確保することができ、この空間を通して下段のボックス本体に収納物品を直接出し入れすることができ、特に上段のボックス本体を回動させる必要はない。
【００３０】
なお、各ボックス本体を回動させるときには、タブ４８を把握して牽引することによりその下段のボックス本体の上端縁に沿って回動させることができる。また、回動位置に固定するときには、ストッパ４７１を回動操作して固定すればよい。例えば、第１段の収納ボックス４１の内部に第２段のボックス本体４２を収容し、第３段のボックス本体４３を第１段のボックス本体４１の上方に保持する必要がある時には、ストッパ４７１を回動して第３段のボックス本体４３が落下しないように保持すればよい。
【００３１】
また、図７に示すように、第１段のボックス本体４１のオフセットに対して第２段のボックス本体４２のオフセットを支柱３の反時計回り方向に９０度の角度をおいてソケット４７を支柱３に嵌挿させ、以下同様に、第２段のボックス本体４２のオフセットに対して第３段のボックス本体４３のオフセットを支柱３の反時計回り方向に９０度の角度をおいてソケット４７を支柱３に嵌挿させ、第３段のボックス本体４３のオフセットに対して第４段のボックス本体４４のオフセットを支柱３の反時計回り方向に９０度の角度をおいてソケット４７を支柱３に嵌挿させ、第４段のボックス本体４４のオフセットに対して第５段のボックス本体４５のオフセットを支柱３の反時計回り方向に９０度の角度をおいてソケット４７を支柱３に嵌挿させ、第５段のボックス本体４５のオフセットに対して第６段のボックス本体４６のオフセットを支柱３の反時計回り方向に９０度の角度をおいてソケット４７を支柱３に嵌挿させ、支柱３に関する各ボックス本体の重量バランスが崩れないように展開するようにしてもよい。このように、各ボックス本体を展開すると、下段のボックス本体の上方にその上段のボックス本体の高さに相当する空間を確保しつつ、開口面積を大きく確保することができるため、好ましい。
【００３２】
このような収納ボックス１は、リビングなどの小物入れとして、あるいは、ディスプレイスタンドして、さらには、マガジンスタンドやダストスタンド、おもちゃ入れなどとして多目的に使用することができる。
【００３３】
一方、収納ボックス１を使用しない場合は、ヘッドキャップ３４を取り外した後、順次、第６段のボックス本体４６、第５段のボックス本体４５・・・第１段のボックス本体４１の順に支柱３から抜き出し、各ジョイント支柱３１を分離した後、ベース２に第１段のボックス本体４１を配置し、次いで、第１段のボックス本体４１の内部に第２段のボックス本体４２を、第２段のボックス本体４２の内部に第３段のボックス本体４３を、第３段のボックス本体４３の内部に第４段乃至第６段のボックス本体４４〜４６を収容し、３本のジョイント支柱３１およびヘッドキャップ３４とともにダンボールからなる包装容器に収納すればよい。この場合、縦３５０ｍｍ×横３５０ｍｍ×高さ３５０ｍｍの包装容器に収納することができ、コンパクトに収納することができる。
【００３４】
なお、前述した実施形態においては、順次外径が漸減する４種類のボックス本体を合計６個使用した場合を例示したが、このような組み合わせや個数に限定するものではなく、コンパクトに収納できる範囲において任意の組み合わせと個数を採用することができる。例えば、図５において、第４段のボックス本体４４の内部に第５段のボックス本体４５を、第５段のボックス本体４５の内部に第６段のボックス本体４６をそれぞれ収容して、６種類合計６個のボックス本体の組み合わせであってもよい。
【図面の簡単な説明】
【００３５】
【図１】本発明の収納ボックスの一実施形態を示す正面図である。
【図２】図１の収納ボックスの平面図である。
【図３】図１の収納ボックスの縦断面図である。
【図４】図１の収納ボックスの構成図である。
【図５】図１の収納ボックスの格納状態を示す縦断面図である。
【図６】図５の収納ボックスの平面図である。
【図７】本発明の収納ボックスの各ボックス本体の他の展開状態を示す平面図である。
【符号の説明】
【００３６】
１  収納ボックス
２  ベース
３  支柱
３１  ジョイント支柱
４  トレイボックス
４１，４２，４３，４４，４５，４６  ボックス本体
４７  ソケット
４７１  ストッパ
４８  タブ
【図１】
2006325865.tif 000003
【図２】
2006325865.tif 000004
【図３】
2006325865.tif 000005
【図４】
2006325865.tif 000006
【図５】
2006325865.tif 000007
【図６】
2006325865.tif 000008
【図７】
2006325865.tif 000009